(57)【要約】【課題】買物かごの移載が容易にでき、買物かごを安定性よく積載可能なショッピングカートを提供すること。【解決手段】買物かご６を積載するショッピングカートＳであって、キャスター２を備えた本体フレーム１の縦フレーム１１から前方へ張り出して、買物かご６を積載するかご台３を設けたショッピングカートにおいて、かご台３の左右両側位置にそれぞれ、先端に爪部４１を有し、かご台３の幅方向に所定の回転角度範囲で回動可能に起立する係止部材４を設けるとともに、上記係止部材４には爪部４１をかご台３の幅方向内側へ回動付勢する付勢手段４３を付設し、かご台３にその上方より買物かご６を載置するとき、買物かご６の側面部６１により両係止部材４の先端が外側へ押し開かれ、買物かご６が載置されると両係止部材４の爪部４１が上記付勢力によって買物かご６の側面部６１に係止して買物かご６をロックするようになした。【選択図】        図１
2004216923.tif 000002
【特許請求の範囲】
【請求項１】
買物かごを積載するショッピングカートであって、
キャスターを備えた本体フレームの縦フレームから前方へ張り出して、買物かごを積載するかご台を設けたショッピングカートにおいて、
上記かご台の左右両側位置にそれぞれ、先端に爪部を有し、かご台の幅方向に所定の回転角度範囲で回動可能に起立する係止部材を設けるとともに、上記係止部材にはこれを上記かご台の幅方向内側への回動力を付勢する付勢手段を付設し、上記かご台にその上方より買物かごを載置するとき、買物かごの側面部により上記両係止部材の先端が外側へ押し開かれ、買物かごが載置されると上記両係止部材の爪部が上記付勢力によって買物かごの側面部に係止して買物かごをロックすることを特徴とするショッピングカート。
【請求項２】
上記ショッピングカートは、上記かご台の前後長を上記買物かごの底部の前後長よりも短くし、かつ上記本体フレームの縦フレームに上記買物かごの後面上端と係合してこれを保持する保持部材を設けた請求項１に記載のショッピングカート。
【請求項３】
請求項２に記載のショッピングカートからレジ台へ買物かごを移載する積載買物かごの移載構造であって、
上記ショッピングカートのかご台を上記縦フレームから前方へ向かって緩やかな前上がり傾斜状に張出せしめる一方、
上記レジ台には、上記かご台の高さ位置に対向する位置で、上記かご台の傾斜姿勢に対応して張出端が下り傾斜姿勢をなし、上記ショッピングカートをレジ台へ向かって押し進めたときにかご台上の買物かごの下側へ入る棚部を設け、
該棚部の突出側の左右両側位置には、上記買物かごの前端が上記棚部の上に進出するように上記ショッピングカートを押し進めたときに、上記係止部材に当接して該係止部材を買物かごの幅方向外側へ回動せしめて買物かごのロックを解除するロック解除部材と、
上記棚部上面の張出端縁に、上記ロック解除後に、上記棚部上に進出する買物かごの後部を押し上げて上記保持部材と買物かごの係合を解除する突起を設けたことを特徴とする積載買物かごの移載構造。
【請求項４】
上記棚部の左右両側に設けた各ロック解除部材は、買物かごを積載したかご台が上記棚部へ向かって進出したときに、上記かご台の上記左右の係止部材の軸支部よりも下方の基部外面に当接する当接面を有し、両ロック解除部材の上記当接面を、棚部の張出端側からレジ台側へ向けて相互間の間隔が狭くなる方向に傾斜するテーパー面に形成した請求項３に記載の積載買物かごの移載構造。
【請求項５】
上記ショッピングカートのかご台には前縁から後方へ向けて凹部を設ける一方、上記レジ台の棚部には張出端縁に、上記かご台の凹部に対応してショッピングカートを棚部へ向けて押し進めたときに上記凹部に噛み合うように進入可能な凸部を設けるとともに、該凸部の先端上面に上記突起を設けた請求項３に記載の積載買物かごの移載構造。
【発明の詳細な説明】
【０００１】
【発明の属する技術分野】
本発明はスーパーマーケット等の店舗で使用するショッピングカートに関する。
【０００２】
【従来の技術】
一般に、ショッピングカートは、買物かごを積載するかご台を備え、該かご台にはこれに載置した買物かごの外周を囲むように枠部材を設けて買物かごの周面を支え、ショッピングカート移動中に買物かごがずれたり落下しないようにしている。しかしながら、商品を取り終えたのちにレジカウンターで精算する際に、商品を入れた買物かごを上記枠部材を乗り越えるように持ち上げてショッピングカートからレジ台へ移し換えなければならないので煩わしく、商品が多くて重い場合には非力な人では持ち上げが困難である。
【０００３】
そこで従来、買物かごを持ち上げずにショッピングカートからレジ台へ移し換えできるように、枠部材を設けずにショッピングカートのかご台を平滑板で構成したり、かご台にローラーを設けたりして、かご台の摩擦係数を小さくするとともに、買物かごの外面に当接して買物かごを支える金具を小型かつ格納可能として、ショッピングカートからレジ台へ買物かごを滑らせながら容易に移し換えるようにしたものがある（例えば、特許文献１参照。）。しかしながら、買物かごの安定性が悪くなるといった問題があった。
【０００４】
【特許文献１】
特開平７−１４９２３８号公報
【０００５】
【発明が解決しようとする課題】
そこで本発明は上記事情に鑑み、ショッピングカートからレジ台へ買物かごを容易に移し換えることができ、積載した買物かごの安定性がよいショッピングカートを実現し、かつ上記ショッピングカートを用いてショッピングカートからレジ台へ買物かごを自動的に移載する買物かごの移載構造を実現することを課題としてなされたものである。
【０００６】
【課題を解決するための手段】
本発明は、買物かごを積載するショッピングカートであって、キャスターを備えた本体フレームの縦フレームから前方へ張り出して、買物かごを積載するかご台を設けたショッピングカートにおいて、上記かご台の左右両側位置にそれぞれ、先端に爪部を有し、かご台の幅方向に所定の回転角度範囲で回動可能に起立する係止部材を設けるとともに、上記係止部材にはこれを上記かご台の幅方向内側への回動力を付勢する付勢手段を付設し、上記かご台にその上方より買物かごを載置するとき、買物かごの側面部により上記両係止部材の先端が外側へ押し開かれ、買物かごが載置されると上記両係止部材の爪部が上記付勢力によって買物かごの側面部に係止して買物かごをロックする（請求項１）。買物かごをかご台に積載したとき、自動的に買物かごがかご台にロックされ安定性がよく、従来のように買物かごの外周を囲む枠部材が必要ない。
【０００７】
上記ショッピングカートは、上記かご台の前後長を上記買物かごの底部の前後長よりも短くし、かつ上記本体フレームの縦フレームに上記買物かごの後面上端と係合してこれを保持する保持部材を設ける（請求項２）。かご台を買物かごよりも小さくしても買物かごは安定に保持される。ショッピングカートをコンパクトにできる。
【０００８】
また、請求項２に記載のショッピングカートからレジ台へ買物かごを移載する積載買物かごの移載構造であって、上記ショッピングカートのかご台を上記縦フレームから前方へ向かって緩やかな前上がり傾斜状に張出せしめる一方、上記レジ台には、上記かご台の高さ位置に対向する位置で、上記かご台の傾斜姿勢に対応して張出端が下り傾斜姿勢をなし、上記ショッピングカートをレジ台へ向かって押し進めたときにかご台上の買物かごの下側へ入る棚部を設ける。該棚部の張出側の左右両側位置には、上記買物かごの前端が上記棚部の上に進出するように上記ショッピングカートを押し進めたときに、上記係止部材に当接して該係止部材を買物かごの幅方向外側へ回動せしめて買物かごのロックを解除するロック解除部材と、上記棚部上面の張出端縁に、上記ロック解除後に、上記棚部上に進出する買物かごの後部を押し上げて上記保持部材と買物かごの係合を解除する突起を設ける（請求項３）。買物かごを持ち上げなくても買物かごがレジ台の棚部に移される。
【０００９】
上記棚部の左右両側に設けた各ロック解除部材は、買物かごを積載したかご台が上記棚部へ向かって進出したときに、上記かご台の上記左右の係止部材の軸支部よりも下方の基端部外面に当接する当接面を有し、両ロック解除部材の上記当接面を、棚部の張出端側からレジ台側へ向けて相互間の間隔が狭くなる方向に傾斜するテーパー面に形成する（請求項４）。ロック解除部材のテーパー面によってショッピングカートを棚部側へ押し進めることで、係止部材が自動的にロック解除方向に回動する。
【００１０】
上記ショッピングカートのかご台には前縁から後方へ向けて凹部を設ける一方、上記レジ台の棚部には張出端縁に、上記かご台の凹部に対応してショッピングカートを棚部へ向けて押し進めたときに上記凹部に噛み合うように進入可能な凸部を設けるとともに、該凸部の先端上面に上記突起を設ける（請求項５）。ショッピングカートを棚部へ向けて押し進めたときにかご台の凹部と棚部の凸部が噛み合うことで、棚部とショッピングカートの位置ずれを防ぐことができる。また棚部の凸部先端の突起により買物かごの後端部を押し上げることができる。従って、係止部材のロック解除と、保持部材の係合解除が確実に行なわれる。
【００１１】
【発明の実施の形態】
本発明を適用したショッピングカートを説明する。図１（Ａ）に示すように、ショッピングカートＳは、パイプ材からなるフレーム構造で、本体フレーム１の下端には前方向へ延びる左右一対のフレーム下部１０が形成してあり、左右のフレーム下部１０にはそれぞれ前端および後端にキャスター２が取付けてある。また両フレーム下部１０には、本体フレーム１の縦フレーム１１の下端付近から各フレーム下部１０に沿うように前方へ向かって延びるとともに、両フレーム下部１０の前端間を架けわたすサブフレーム１２が設けてある。本体フレーム１には、縦フレーム１１の上端に後方へ突出して使用者がショッピングカートＳを押すときに握る握りハンドル１３が設けてある。そして、縦フレーム１１の上下方向ほぼ中間位置に買物かご６を積載するかご台３が設けてある。
【００１２】
図１（Ａ）、（Ｂ）に示すように、かご台３は横方向に長い板状で、縦フレーム１１を構成する左右一対のパイプ材の中間結合部から緩やかな前上がり傾斜状に前方へ張り出してある。かご台３の傾斜角は水平に対して約７°に設定してある。かご台３の横幅は買物かご６の横幅よりも大きくしてあり、買物かご６を積載したときにかご台３の左右の両端部が買物かご６の両側へ張り出すようにしてある。一方、かご台３の前後寸法は買物かご６の前後長よりも小さくしてあり、買物かご６の前後長の３分に１程度の寸法としてある。更に、かご台３にはその前端縁の左右両側位置に、端縁から後方へ向かってかご台３を矩形状に切欠いた複数の凹部３１が形成してある。
【００１３】
かご台３の左右の両端部には、買物かご６の左右の側面部６１に係脱可能に係合する係止部材４が設置してある。かご台３の左右両端部にはこれを貫通する取付穴３２が形成してあり、取付穴３２の前後両側には前後一対のブラケット３３が立設してある。係止部材４は金属または硬質合成樹脂からなる縦長のレバー体で、上端（先端）に買物かご６の側面部６１に形成された係合穴６２に嵌入係止可能な係止爪４１を備えている。係止部材４は、その下端基部４２をかご台３の取付穴３２に挿通せしめて下端基部４２がかご台３の下方へ突出するように起立状に配す。そして係止部材４の上下中間部を取付穴３２の前後のブラケット３３に支軸４０により軸支せしめてかご台３の幅方向に沿って所定の回転角度の範囲で回動可能としてある。また、係止部材４は支軸４０の軸周り付設したバネ部材４３により上端の係止爪４１をかご台３の幅方向中心側（図１（Ｂ）の矢印Ｊ方向）へ向かって回動付勢されている。
【００１４】
尚、係止部材４の回動可能な範囲は、上記付勢力により係止爪４１がかご台３に積載した買物かご６の側面部６１に設けられた係合穴６２に嵌入係合可能な内側位置（図１（Ｂ）の実線位置）と、係止爪４１が係合穴６２にから抜け出して係合解除可能な外側位置（図１（Ｂ）の鎖線位置）との間の範囲としてある。係止部材４は上記内側位置において図３（Ａ）に示すように、係止部材４の支軸４０よりも下方の下端基部４２がかご台３の取付穴３２の外側の開口縁３２２に当接して内側方向への回動が規制され、通常、係止部材４はこの状態で起立姿勢をなす。また、係止部材４は上記外側位置へ回動したとき、下端基部４２が取付穴３２の内側の開口縁３２１に当接して必要以上の外側方向への回動が規制される。
【００１５】
また、左右の係止部材４の上端は、上端末から係止爪４１に向けて、互いに相対向する両係止部材４の上端間の間隔が互いに狭くなる方向に傾斜するテーパー状に形成してある。
【００１６】
ショッピングカートＳの本体フレーム１には、図１（Ａ）および図２に示すように、かご台３の上方位置に縦フレーム１１に沿うように買物かご６の後面部６３の上端と係脱可能に係合して買物かご６を保持する保持部材５が付設してある。保持部材５は、パイプ材をほぼハット形に曲成したベース部５０を、縦フレーム１１をなす左右のパイプ材間の上端付近に架設固定してある。ベース部５０には、その上辺の中央から垂直に起立し、買物かご６の後面部６３の上縁から後方へ突出する開口フランジ６４に形成された貫通穴６５に嵌入可能な第１の係合ピン５１が立設してある。また、ベース部５０の上辺の左右両側には、左右屈曲部からそれぞれ前方かつ上方へ向けて突出し、買物かご６の後面部６３の上端付近に形成された縦長の貫通穴６６に嵌入可能なＬ字形の第２の係合ピン５２が突設してある。
【００１７】
このように構成したショッピングカートＳに買物かご６を積載するには、買物かご６の後部をショッピングカートＳのかご台３にその上方から載置し、かご台３の両側の係止部材４を買物かご６の側面部６１の係合穴６２に係止せしめるとともに、ショッピングカートＳの保持部材５の第１および第２の係合ピン５１、５２を買物かご６の後面部６３の貫通穴６５、６６に嵌入せしめることでなされる。
【００１８】
図３（Ａ）、（Ｂ）、（Ｃ）に示すように、係止部材４は、買物かご６の後部をかご台３に載置するとき、上記内側位置にある状態の係止部材４（図３（Ａ））の係止爪４１に買物かご６の側面部６１の下端が当接し、買物かご６に押されて係止部材４がバネ部材４３の付勢力に抗して上記外側位置へ回動する（図３（Ｂ））。そして、買物かご６の底部６０がかご台３上面に当接し、買物かご６の側面部６１の係合穴６２の穴位置と係止部材４の係止爪４１の位置が合致すると、上記付勢力（図３（Ｂ）の矢印Ｊ方向）により係止部材４が上記内側位置へ戻され、係止爪４１が係合穴６２に係合して買物かご６をロックする。
【００１９】
図４に示すように、保持部材５は、買物かご６をかご台３に載置する途中で、白矢印Ｋに沿うように、一旦、買物かご６を後方へ移動させて、後面部６３の貫通穴６６に第２の係合ピン５２の縦片部を挿入する。そして買物かご６を下へ移動させることにより、買物かご６の貫通穴６６の上縁部が第２の係合ピン５２の縦片部とベース部５０との間の間隙へ嵌入して第２の係合ピン５２と貫通穴６６が係合する。第１の係合ピン５１は、第２の係合ピン５２と貫通穴６６が係合する際に買物かご６の開口フランジ６４の貫通穴６５に下方から嵌入係合する。
【００２０】
ショッピングカートＳは、かご台３にその上方から買物かご６を載置することで、係止部材４が自動的に買物かご６の係合穴６２に嵌合して買物かご６をロックする。同時に、保持部材５の第１および第２の係合ピン５１，５２が買物かご６の後部上端の貫通穴６５，６６に嵌入して買物かご６の後部上端を保持する。従って、従来構造のように買物かごの外周を囲む枠が不要で、係止部材４による買物かご６の側面部６１のロックと、保持部材５による買物かご６の後部上端の保持により、買物かご６を安定した状態で積載することができる。
【００２１】
また、ショッピングカートＳにはサブフレーム１２に他の買物かご６ａを積載する凹状部１２０が形成してあり、上下２段に買物かご６，６ａを積載することができるようにしている（図５）。
【００２２】
次に、ショッピングカートＳのかご台３に積載した買物かご６をレジ台に移し換える買物かごの移載構造を説明する。図５、図６に示すように、レジ台Ｒにはその天板の端縁に、天板を延長するように張り出した棚部７が付設してある。棚部７は、買物かご６の前後左右の長さ寸法とほぼ同じか若干大きめの四角形の棚板で構成してある。棚部７は、ショッピングカートＳのかご台３に対応する高さ位置に設けられ、かつかご台３の傾斜角とほぼ同じ角度でレジ台Ｒ側の基端よりも張出端が低い傾斜姿勢をなし、ショッピングカートＳをレジ台Ｒへ向けて押し進めたときに、買物かご６が棚部７の上方へ進出するように設置してある。図５の７０は、棚部７を構成する棚板の下面とレジ台Ｒの側壁とを傾斜状に架けわたして棚部７を支える支持脚である。
【００２３】
棚部７の張出端には、その左右両端と幅方向中間部を矩形状に切欠いて、ショッピングカートＳのかご台３の左右の凹部３１に対向する複数の凸部７１が形成してあり、棚部７は、ショッピングカートＳを押し進めたとき（白矢印Ｌ方向）に、凸部７１がかご台３の各凹部３１内に嵌入し、かご台３と噛み合うようにしてある。また、各凸部７１の先端上面には断面山形の突起７２が設けてある。突起７２の高さは頂部の高さ位置が棚部７の基端寄りの上面の高さ位置よりも若干低くなるように設定してある。
【００２４】
棚部７の張出端の左右両側にはそれぞれ、ショッピングカートＳの係止部材４と買物かご６とのロックを解除するロック解除部材８が付設してある。ロック解除部材８は角形の棒材で、棚部７の左右両側縁に沿って棚部７の張り出し方向へ延び、先端が棚部７の凸部７１の先端とほぼ同等もしくはやや長めの張出位置となるようにしてある。各ロック解除部材８は、ショッピングカートＳの進行方向が棚部７の正面位置となるように規制する役割も有している。各ロック解除部材８には、先端の棚部７の内面に、レジ台Ｒへ向けてショッピングカートＳを押し進めたときに、ショッピングカートＳの係止部材４の下端基部４２の外面に当接する当接面８０が成形してある。各ロック解除部材８の当接面８０はそれぞれ、棚部７の張出端側からレジ台Ｒ側へ向けて互いに間隔が漸次狭くなる方向に傾斜するテーパー面としてある。
【００２５】
ショッピングカートＳから買物かご６をレジ台へ移し換えるには、ショッピングカートＳをレジ台Ｒの棚部７へ向けてその張り出し方向の反対側より直線的に押し進めて（白矢印Ｌ方向）、買物かご６を棚部７上へ進出せしめる。このとき前上がり傾斜状に積載された買物かご６は、その底部６０前端が棚部７の張出端の突起７２よりも高い位置にあるので、突起７２の上方を通過して棚部７上へ進出する。更にショッピングカートＳを押し進めるとかご台３の凹部３１と棚部７の凸部７１とが噛み合い、ショッピングカートＳの進む方向が棚部７の正面位置となるように規制される。
【００２６】
更にショッピングカートＳを押し進めることで、買物かご６の底部６０前端が棚部７の基端側の上面に当接するとともに、図７（Ａ），（Ｂ）に示すように、各ロック解除部材８の当接面８０がショッピングカートＳの係止部材４の下端基部４２の外面に当接し、ロック解除部材８の当接面８０が係止部材４の下端基部４２を内側（かご台３の幅方向の中心側）へ押し、係止部材４の上端が上記外側位置へ開き、係止爪４１が買物かご６の係合穴６２から抜けてロックが解除される。
【００２７】
上記ロックが解除されると同時に、棚部７上へ進出する買物かご６の底部６０の後端寄りの部位が棚部７の張出端の突起７２に当接し、買物かご６が棚部７の上に載る。更にショッピングカートＳを押し進めることにより、買物かご６が棚部７上をその基端側へ移動することとなり、このときに突起７２上を移動する買物かご６の後端が上昇する。この買物かご６の後端の上昇により、ショッピングカートＳの保持部材５の第１係合ピン５１が買物かご６の貫通穴６５から抜け、買物かご６の貫通穴６６の上縁が保持部材５の第２のピン５２の縦片とベース部５０間の上記間隙から抜けて保持部材５と買物かご６の後部上端との係合が解除される。そして、ショッピングカートＳを後方へ引き戻すことで、第２のピン５２が貫通穴６６から抜けて買物かご６の棚部７への移載が完了する。その後、買物かご６をレジ台Ｒの天板側へ押し動かせばよい。
【００２８】
本発明の買物かごの移載構造によれば、ショッピングカートＳをレジ台Ｒへ向けて押し進めることで自動的に買物かご６がレジ台Ｒ側へ移し換えられ、従来のように商品を入れた買物かごを持ち上げて移し換える手間が省ける。
【００２９】
【発明の効果】
本発明を適用したショッピングカートを用いれば、買物かごを容易にショッピングカートからレジ台へ移し換えることが可能なうえ、買物かごを安定した状態でショッピングカートに積載することができる。また本発明のショッピングカートを用いた積載買物かごの移載構造によれば、客が買物かごを持ち上げなくてすみ、ショッピングカートをレジ台側へ押し進めることで、ショッピングカートからレジ台へと買物かごを自動的に移し換えることができる。
【図面の簡単な説明】
【図１】図１（Ａ）は本発明のショッピングカートの斜視図、図１（Ｂ）は上記ショッピングカートの要部（係止部材）の斜視図である。
【図２】上記ショッピングカートの他の要部（保持部材）の斜視図である。
【図３】図３（Ａ），（Ｂ），（Ｃ）は上記ショッピングカートの係止部材による買物かごのロック動作を示す動作説明図である。
【図４】上記ショッピングカートの保持部材による買物かごの保持動作を示す動作説明図である。
【図５】本発明の積載買物かごの移載構造を示す側面図である。
【図６】上記積載買物かごの移載構造の平面図である。
【図７】図７（Ａ），（Ｂ）は上記積載買物かごの移載構造によりショッピングカートの係止部材と買物かごとのロック解除動作をを示す動作説明図である。
【符号の説明】
Ｓ  ショッピングカート
１  本体フレーム
１１  縦フレーム
２  キャスター
３  かご台
３１  凹部
４  係止部材
４１  係止爪（爪部）
４２  下端基部（基部）
４３  バネ部材（付勢手段）
５  保持部材
６  買物かご
６１  側面部
６３  後面部
Ｒ  レジ台
７  棚部
７１  凸部
７２  突起
８  ロック解除部材
８０  当接面
【図１】
2004216923.tif 000003
【図２】
2004216923.tif 000004
【図３】
2004216923.tif 000005
【図４】
2004216923.tif 000006
【図５】
2004216923.tif 000007
【図６】
2004216923.tif 000008
【図７】
2004216923.tif 000009